(57)【要約】【課題】越流部に可動堰を設置するにあたって、設置費用を安く抑えることができ、設置後の保守管理も容易な可動堰を提供する。【解決手段】越流のための開口部２が形成された堰板３と、開口部２を開閉する開閉機構４と、を備える可動堰１であって、開閉機構４は、開口部２の幅方向Ｘに移動自在に設けられた２つの扉体７，８と、上下方向に移動可能に設けられた可動板９と、を有し、可動板９を上下方向に移動させたときに、可動板９の移動にしたがって２つの扉体７，８が開口部２の幅方向Ｘで互いに接離する方向に移動するように構成されている。【選択図】図１
2014058853.tif 000002
【特許請求の範囲】
【請求項１】
越流のための開口部が形成された堰板と、
前記開口部を開閉する開閉機構と、を備え、
前記開閉機構は、
前記開口部の幅方向に移動自在に設けられた２つの扉体と、
上下方向に移動可能に設けられた可動板と、を有し、
前記可動板を上下方向に移動させたときに、前記可動板の移動にしたがって前記２つの扉体が前記開口部の幅方向で互いに接離する方向に移動するように構成されている
ことを特徴とする可動堰。
【請求項２】
前記２つの扉体は、前記可動板を上方に移動させたときに互いに接近する方向に移動し、かつ、前記開口部の幅方向の中心で互いに密着するように構成されている
ことを特徴とする請求項１に記載の可動堰。
【請求項３】
前記堰板は、前記２つの扉体を前記開口部の幅方向に移動自在に支持するガイド部を有し、
前記２つの扉体は、前記開口部を閉じるように当該２つの扉体を前記開口部の幅方向で密着させたときに全体として逆三角形を形成し、
前記可動板は、前記２つの扉体が形成する前記逆三角形よりも大きく、かつこれと相似する逆三角形の開口を有し、
前記２つの扉体のうち、一方の扉体の斜辺は前記開口の一辺に接する状態で配置され、他方の扉体の斜辺は前記開口の他辺に接する状態で配置されている
ことを特徴とする請求項２に記載の可動堰。
【発明の詳細な説明】
【技術分野】
【０００１】
本発明は、越流量を調整する可動堰に関し、特に、浄水場や下水処理場の分配槽等に形成された越流部に取り付けられる可動堰に適用して好適なものである。
【背景技術】
【０００２】
浄水場や下水処理場の分配槽に形成された複数の越流部に取り付けられる可動堰としては、越流部の開口部（以下「呑み口」という。）に対して扉体を縦方向（高さ方向）に移動させて、越流水深を変化させることにより、越流量および越流量の分配比率を調整するものがある。
【０００３】
ここで、越流水深ｈは、越流量をＱ、ＪＩＳ規格の流量係数をＣ、扉体の幅をｂとするＪＩＳ規格の流量公式Ｑ＝Ｃｂｈ３／２（ｍ３／ｓｅｃ）により求めることができる。この流量公式では、扉体の幅ｂは一定なので越流量Ｑと越流水深ｈを変数とする関数になる。この関数は一次関数ではないため、越流量の計算に時間がかかるとともに、算出結果に端数が出るので流量設定の正確性に欠ける。また、水位の変動によって越流量の分配比率が変化してしまうため、水位変動に伴って各呑み口の開度を再設定する必要がある。
【０００４】
そこで、越流部の呑み口に対して扉体を横方向（幅方向）に移動させる構成の可動堰もある。この型式（以下「横引き式」ともいう。）の可動堰では、呑み口の開口幅を調整することにより、越流量を調整することになる。このため、越流量の計算が容易になる。また、水位が変動しても越流量の分配比率は変化しないため、水位変動に伴って各呑み口の開度を調整する必要がなくなる。
【０００５】
以上の理由により、越流部に設けられる可動堰としては、横引き式の可動堰が好ましいとされている。ただし、横引き式の可動堰を採用する場合は、扉体の横方向への移動を許容し、かつ扉体を収納するためのスペースを、呑み口の側方に確保する必要がある。このため、複数の越流部が狭い間隔で隣接している場合には設置が困難になる。
【０００６】
そこで、扉体の側方に縦軸回りに回転可能な回転ドラムを設け、扉体を回転ドラムに渦巻き状に巻き付けることにより、扉体を横方向に移動させて、呑み口の開口幅を調整するように構成された横引き式の可動堰も提案されている（特許文献１を参照）。
【０００７】
ただし、上述のように扉体を回転ドラムに巻き付ける構成では、扉体の収納用スペースを小さくする目的で、小径の回転ドラムに扉体を渦巻き状に巻き付けて収納するため、扉体の厚みを薄くして扉体の柔軟性を高める必要がある。したがって、扉体の強度を十分に確保できず、浄水場や下水処理場の分配槽に適用することが困難になる。
【０００８】
こうした不具合に対して、本出願人は、横方向に可撓性を有する扉体の上端縁および下端縁を、上下で対をなす二体の環状のチェーンに連結した横引き式の可動堰を提案している（特許文献２を参照）。この可動堰では、各チェーンの回動にしたがって扉体を横方向に移動させたときに、扉体が各チェーンのチェーンラインに沿って円弧状に折り返される。このため、扉体を収納するスペースを小さくすることができる。また、扉体を回転ドラムに渦巻き状に巻き付ける構造に比べて、扉体を厚くし、その強度を高めることができる。
【先行技術文献】
【特許文献】
【０００９】
【特許文献１】特許第３４７５３４７号公報
【特許文献２】特許第４６４４１６６号公報
【発明の概要】
【発明が解決しようとする課題】
【００１０】
しかしながら、上記特許文献２に記載の可動堰では、機構が非常に複雑になるため、設置費用がかさんでしまう。また、チェーンやその駆動系などにゴミ等が絡まりやすいため、頻繁に清掃してゴミ等を取り除く必要がある。このため、設置後の保守管理が面倒になる。
【００１１】
本発明の主な目的は、越流部に可動堰を設置するにあたって、設置費用を安く抑えることができ、設置後の保守管理も容易な可動堰を提供することにある。
【課題を解決するための手段】
【００１２】
本発明の第１の態様は、
越流のための呑み口（開口部）が形成された堰板と、
前記呑み口を開閉する開閉機構と、を備え、
前記開閉機構は、
前記呑み口の幅方向に移動自在に設けられた２つの扉体と、
上下方向に移動可能に設けられた可動板と、を有し、
前記可動板を上下方向に移動させたときに、前記可動板の移動にしたがって前記２つの扉体が前記呑み口の幅方向で互いに接離する方向に移動するように構成されている
ことを特徴とする可動堰である。
【００１３】
本発明の第２の態様は、
前記２つの扉体は、前記可動板を上方に移動させたときに互いに接近する方向に移動し、かつ、前記呑み口の幅方向の中心で互いに密着するように構成されている
ことを特徴とする上記第１の態様に記載の可動堰である。
【００１４】
本発明の第３の態様は、
前記堰板は、前記２つの扉体を前記呑み口の幅方向に移動自在に支持するガイド部を有し、
前記２つの扉体は、前記呑み口を閉じるように当該２つの扉体を前記呑み口の幅方向で密着させたときに全体として逆三角形を形成し、
前記可動板は、前記２つの扉体が形成する前記逆三角形よりも大きく、かつこれと相似する逆三角形の開口を有し、
前記２つの扉体のうち、一方の扉体の斜辺は前記開口の一辺に接する状態で配置され、他方の扉体の斜辺は前記開口の他辺に接する状態で配置されている
ことを特徴とする上記第２の態様に記載の可動堰である。
【発明の効果】
【００１５】
本発明によれば、越流部に可動堰を設置するにあたって、設置費用を安く抑えることができ、設置後の保守管理も容易な可動堰を提供することができる。
【図面の簡単な説明】
【００１６】
【図１】本発明の実施の形態に係る可動堰の一構成例を示すもので、図中（Ａ）は正面図、（Ｂ）はＹ１−Ｙ１断面図、（Ｃ）はＳ−Ｓ断面図である。
【図２】本発明の実施の形態に係る可動堰の動作を説明する図（その１）である。
【図３】本発明の実施の形態に係る可動堰の動作を説明する図（その２）である。
【発明を実施するための形態】
【００１７】
以下、本発明の実施の形態について図面を参照しつつ詳細に説明する。
本発明の実施の形態においては、次の順序で説明を行う。
１．可動堰の構成（堰板、開閉機構、扉体、可動板）
２．可動堰の動作（開動作、閉動作、全閉状態からの開動作、全開状態からの閉動作、呑み口の開度調整）
３．実施の形態に係る効果
４．変形例等
【００１８】
＜１．可動堰の構成＞
図１は本発明の実施の形態に係る可動堰の一構成例を示すもので、図中（Ａ）は正面図、（Ｂ）はＹ１−Ｙ１断面図、（Ｃ）はＳ−Ｓ断面図である。
図示した可動堰１は、たとえば、浄水場や下水処理場の分配槽に形成された複数の越流部にそれぞれ設置されるものである。可動堰１は、大きくは、越流のための呑み口２が形成された堰板３と、この堰板３の呑み口２を開閉する開閉機構４と、を備えている。この可動堰１を越流部に設置した場合、堰板３の呑み口２は、越流部の上流側（水を堰き止めておく側）を向いて配置される。以下、各構成要素について詳しく説明する。
【００１９】
（堰板）
堰板３は、越流部で水を堰き止めるものである。堰板３は正面視矩形状に形成されている。この堰板３に高さ方向（上下方向）において、呑み口２は、堰板３の中心部よりも少し上方寄りに形成されている。また、堰板３の幅方向（左右方向）において、呑み口２は、堰板３の中心部に形成されている。呑み口２は、やや縦長の矩形状に形成されている。堰板３には、ガイド部５が形成されている。ガイド部５は、呑み口２の上辺部に沿って溝状に形成されている。また、ガイド部５は、呑み口２の幅方向Ｘに真っ直ぐに延在するように、呑み口２の左右両側に形成されている。また、堰板３の幅方向の両端部には抱き込み部６が形成されている。抱き込み部６は、堰板３の厚み方向の一方に突出する状態で形成されている。また、抱き込み部６は、堰板３の側縁部を抱き込むように、平面視Ｌ字形に屈曲した状態に形成されている。
【００２０】
（開閉機構）
開閉機構４は、２つの扉体７，８と、可動板９と、を有している。この開閉機構４においては、可動板９の上下方向への移動動作を、扉体７，８の接離（接近・離間）動作に変換し、この動作変換によって堰板３の呑み口２を開閉する構成となっている。以下、各構成部材について詳しく説明する。
【００２１】
（扉体）
各々の扉体７，８は適度な厚みで板状に形成されている。また、各々の扉体７，８は、直角三角形に形成されている。一方の扉体７において直角をなす一辺７ａと他辺７ｂのうち、一辺７ａは水平に配置され、他辺７ｂは垂直に配置されている。同様に、他方の扉体８において直角をなす一辺８ａと他辺８ｂのうち、一辺８ａは水平に配置され、他辺８ｂは垂直に配置されている。そして、２つの扉体７，８は、呑み口２の幅方向Ｘで他辺７ｂ，８ｂどうしを密着させたときに、互いの一辺７ａ，８ａと斜辺７ｃ，８ｃが全体に逆三角形を形成するように構成されている。
【００２２】
扉体７の一辺７ａには図１（Ｃ）に示すように差込部７ｄが形成されている。差込部７ｄは扉体７の厚み方向に突出する状態で形成されている。また、差込部７ｄは、扉体７の一辺７ａと平行に形成されている。扉体７は、この差込部７ｄを堰板３のガイド部５に差し込むことにより、呑み口２の幅方向Ｘに移動自在に支持されている。これと同様に、扉体８の一辺８ａにも図示しない差込部が形成されている。そして、扉体８は、この差込部
を堰板３のガイド部５に差し込むことにより、呑み口２の幅方向Ｘに移動自在に支持されている。
【００２３】
（可動板）
可動板９は、上下方向に移動可能に設けられている。可動板９は、上述した扉体７，８と同等の厚さで形成されている。可動板９には図示しない昇降軸が連結され、この昇降軸をハンドル操作等によって昇降させることにより、可動板９が上下方向に移動する構成になっている。可動板９の外形は堰板３よりも一回り小さい矩形状に形成されている。可動板９の両側縁部は、堰板３の抱き込み部６が形成する空間に移動自在に挿入されている。可動板９には逆三角形の開口１１が形成されている。開口１１は、上述した２つの扉体７，８を呑み口２の幅方向Ｘで密着させたときに、これらの扉体７，８が形成する逆三角形よりも大きく、かつこれと相似する逆三角形に形成されている。
【００２４】
ここで、開口１１の頂点を形成する２つ（Ｖ字形）の辺１１ａ，１１ｂに対して、扉体７の斜辺７ｃは一方の辺１１ａに沿って配置され、扉体８の斜辺８ｃは他方の辺１１ｂに沿って配置されている。また、扉体７の斜辺７ｃは一方の辺１１ａに接し、扉体８の斜辺８ｃは他方の辺１１ｂに接している。開口１１の一方の辺１１ａには断面Ｌ字形の曲げ部１２が形成され、他方の辺１１ｂにも断面Ｌ字形の曲げ部１３ｂが形成されている。これらの曲げ部１２，１３は、開口１１の頂点部分で互いに干渉しない限度において、それぞれに対応する辺１１ａ，１１ｂのほぼ全長にわたって形成されている。
【００２５】
これに対して、扉体７の斜辺７ｃには断面Ｌ字形の引っ掛け部１４が形成されている。この引っ掛け部１４は、上述した開口１１の一方の辺１１ａに形成された曲げ部１２に係合している。この係合状態においては、曲げ部１２と引っ掛け部１４とが、開口１１の一方の辺１１ａと平行な方向に相互に移動（スライド）自在に結合している。これと同様に、扉体８の斜辺８ｃには断面Ｌ字形の引っ掛け部１５が形成されている。この引っ掛け部１５は、上述した開口１１の他方の辺１１ｂに形成された曲げ部１３に係合している。この係合状態においては、曲げ部１３と引っ掛け部１５とが、開口１１の他方の辺１１ｂと平行な方向に相互に移動（スライド）自在に結合している。また、開口１１の底辺１１ｃは、扉体７，８の一辺７ａ，８ａと平行（水平）に配置されている。底辺１１ｃは、堰板３のガイド部５と同等の長さを有している。また、開口１１の辺１１ａの長さは扉体７の斜辺７ｃの長さの２倍に設定され、開口１１の辺１１ｂの長さは扉体８の斜辺８ｃの長さの２倍に設定され、底辺１１ｃの長さは、扉体７，８の一辺７ａ，８ａの長さを加算した長さの２倍に設定されている。
【００２６】
＜２．可動堰の動作＞
続いて、本発明の実施の形態に係る可動堰１の動作について説明する。
可動堰１の動作は、大きく２つに大別される。一つは、堰板３の呑み口２を開ける動作（以下「開動作」という。）である。もう一つは、堰板３の呑み口２を閉じる動作（以下「閉動作」という。）である。
【００２７】
（開動作）
堰板３の呑み口２を開ける場合は、可動板９を下方に移動させる。この動作は、図示しない昇降軸によって可動板９を押し下げることで行う。そうすると、２つの扉体７，８は、差込部７ｄ，８ｄにより堰板３のガイド部５に案内されながら、開口１１の各辺１１ａ，１１ｂに引っ張られるかたちで横方向に移動する。具体的には、２つの扉体７，８は、呑み口２の幅方向Ｘにおいて、互いに離間する方向に同時に移動する。このとき、扉体７の引っ掛け部１４と可動板９の曲げ部１２は、互いに係合したままスライドする。また、扉体８の引っ掛け部１５と可動板９の曲げ部１３も、互いに係合したままスライドする。そして、図２（Ａ），（Ｂ）に示すように、２つの扉体７，８の一辺７ａ，８ａが開口１
１の底辺１１ｃに到達するまで可動板９を下方に移動させた段階で、堰板３の呑み口２が全開された状態になる。この状態では、堰板３の呑み口２の両側に２つの扉体７，８が退避することによって呑み口２が開放される。
【００２８】
（閉動作）
堰板３の呑み口２を閉じる場合は、可動板９を上方に移動させる。この動作は、図示しない昇降軸によって可動板９を引き上げることで行う。そうすると、２つの扉体７，８は、差込部７ｄ，８ｄにより堰板３のガイド部５に案内されながら、開口１１の各辺１１ａ，１１ｂに押し込まれるかたちで横方向に移動する。具体的には、２つの扉体７，８は、呑み口２の幅方向Ｘにおいて、互いに接近する方向に同時に移動する。このとき、扉体７の引っ掛け部１４と可動板９の曲げ部１２は、互いに係合したままスライドする。また、扉体８の引っ掛け部１５と可動板９の曲げ部１３も、互いに係合したままスライドする。そして、上記図１（Ａ）に示すように、２つの扉体７，８の他辺７ｂ，８ｂどうしが密着するまで可動板９を上方に移動させた段階で、堰板３の呑み口２が全閉された状態となる。この状態では、堰板３の呑み口２が、２つの扉体７，８とこれに隣接する可動板９の一部によって閉じられる。
つまり、扉体７，８は、差込部７ｄ，８ｄが堰板３のガイド部５に差込まれているため、上下方向の移動を規制されＸ方向（横方向）に案内されるようになっており、また、引っ掛け部１４，１５が、可動板９の曲げ部１２，１３により斜め方向にスライドするようになっている。これにより扉体７，８は、可動板９の上下方の移動に対して、堰板３の呑み口２の位置で、Ｘ方向（横方向）に開閉することができるようになっている。
【００２９】
このように呑み口２を閉じた状態では、各々の扉体７，８に対して、越流部の上流側から下流側に向かって水圧Ｐが加わる。この水圧Ｐは、各々の扉体７，８に形成された引っ掛け部１４，１５を可動板９の曲げ部１２，１３に押し付ける方向に作用する。このため、引っ掛け部１４，１５と曲げ部１２，１３の係合状態が維持される。また、水圧Ｐは、可動板９が嵌り込む堰板３の抱き込み部６で受けられる。このため、扉体７，８を用いて呑み口２を閉じたときに、各々の扉体７，８の位置が可動板９の厚み方向に変動することはない。なお、呑み口２を扉体７，８で閉じたときの止水性を高めるために、扉体７，８の合わせ面を互い違いの段付き構造にしたり、合わせ面にゴム等を貼ったりしてもよい。
【００３０】
（全閉状態からの開動作）
上記の閉動作によって堰板３の呑み口２を全閉し、この状態から可動板９を下方に移動させると、呑み口２の幅方向Ｘの中心を基準に２つの扉体７，８が互いに離間する方向に移動し始める。このため、呑み口２の幅方向Ｘの中央部が最初に開き、そこから水が越流し始める。
【００３１】
（全開状態からの閉動作）
上記の開動作によって堰板３の呑み口２を全開し、この状態から可動板９を上方に移動させると、呑み口２の幅方向Ｘの中心を基準に２つの扉体７，８が互いに接近する方向に移動し始める。このため、呑み口２の幅方向Ｘの中央部が最後に閉じ、そこで水の越流が停止する。
【００３２】
（呑み口の開度調整）
呑み口２の開度は、呑み口２の開口幅を変えることによって調整する。たとえば、図３（Ａ），（Ｂ）に示すように、堰板３の呑み口２を所定の幅Ｗだけ開口させた状態から可動板９を下方に移動させると、２つの扉体７，８が互いに離間する方向に移動し、その分だけ呑み口２の開口幅が大きくなる。また、上述のように堰板３の呑み口２を所定の幅Ｗだけ開口させた状態から可動板９を上方に移動させると、２つの扉体７，８が互いに接近する方向に移動し、その分だけ呑み口２の開口幅が小さくなる。
【００３３】
＜３．実施の形態に係る効果＞
本発明の実施の形態に係る可動堰１においては、堰板３の呑み口２を開閉する開閉機構４を、それぞれに板状をなす２つの扉体７，８と可動板９とを用いて構成している。このため、機構が非常にシンプルになる。また、幾何学的な形状・構造の組み合わせにより扉体７，８を横方向に移動させて、呑み口２の開口幅を調整する構成になっている。このため、開閉機構にチェーン等を用いる場合に比べて、ゴミ等が付着しにくくなる。これにより、可動堰１の設置にかかる費用を安く抑えることができる。また、可動堰１を設置した後の保守管理も容易になる。特に、ガイド部５が水面上に位置することからガイド部５にゴミ等が付着することがなく、扉体７，８の移動が容易となる。
【００３４】
また、上記構成の可動堰１においては、可動板９を上方または下方に移動させることで、呑み口２の開度を調整することができる。この開度調整に際しては、呑み口２の高さが変わらないため、扉体７，８の接離移動によって呑み口２の開口幅だけを変化させることができる。したがって、呑み口２の開口幅を調整することにより、越流量を調整することになるので、越流量の計算が容易になる。また、可動板９を上下動させると、この移動量に比例して２つの扉体７，８が同量ずつ移動する。このため、可動板９の移動量と呑み口２の開度との関係を正確に把握することができる。
【００３５】
また、従来の横引き式の可動堰においては、越流部の呑み口を扉体で閉じた状態から、扉体を横方向に移動させたときに、呑み口の幅方向の片側から水が越流し始める。このため、越流時に堰に向かう水流に乱れが生じやすい。これに対して、本発明の実施の形態に係る可動堰１においては、堰板３の呑み口２を閉じた状態から、可動板９の下方への移動によって２つの扉体７，８を互いに離間する方向に移動させると、呑み口２の幅方向の中央部から先に開口し、そこから水が越流し始める。このため、呑み口の片側から水が越流し始める場合に比べて、可動堰に向かう水流のカーブが緩やかになる。したがって、越流部で水流に乱れが生じにくくなる。この優位点は、呑み口２を閉じるときにも得られる。
【００３６】
＜４．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００３７】
たとえば、上記実施の形態においては、扉体７，８を直角三角形に形成したが、本発明はこれに限らず、図示はしないが、扉体７，８の突き合わせ部分を波形または鋸歯形状に形成したものであってもよい。
【００３８】
また、２つの扉体７，８の突き合わせ部分に板ばね（不図示）を設け、呑み口２を閉じた状態から可動板９を下方に移動させたときに、板ばねの力を利用して扉体７，８を強制的に離間させる構成を採用してもよい。
なお、実施の形態では、開口１１の辺１１ａ，１１ｂの長さは、扉体７，８の斜辺７ｃ，８ｃの長さの２倍に設定したが、これに限るものではなく、３倍（２倍以上）であっても良い。これにより呑み口２の幅に対して可動堰１の幅を小さくでき、設置スペースを小さくできる。
また、実施の形態では、好ましい態様として、２つの扉体７，８を閉じたときの形状と可動板９の開口形状をそれぞれ逆三角形としたが、本発明はこれに限らず、それらの形状を上下逆さまにして使用することもできる。この場合、ガイド部５が水面下に位置することになるが、比較的きれいな水（上水等）であれば特に問題なく使用することができる。
【符号の説明】
【００３９】
１…可動堰
２…呑み口（開口部）
３…堰板
４…開閉機構
５…ガイド部
７，８…扉体
９…可動板
１１…開口
【図１】
2014058853.tif 000003
【図２】
2014058853.tif 000004
【図３】
2014058853.tif 000005